(57)【特許請求の範囲】
【請求項１】
圧縮機（２５）、水熱交換器（１４）、膨脹機構（２７）および空気熱交換器（２８）を順次接続している冷媒回路（２）と、
貯湯タンク（３）、水ポンプ（１３）および上記水熱交換器（１４）を接続している給湯回路（１）と、
外気温度センサ（３７）と、
上記空気熱交換器（２８）の温度を検出する空気熱交温度センサ（４８）と、
上記圧縮機（２５）の運転周波数、上記外気温度センサ（３７）および空気熱交温度センサ（４８）の出力に基づいて、デフロスト運転への突入の可否を判定するデフロスト突入判定手段（１１２）と
を備え、
上記デフロスト突入判定手段（１１２）は、
（i）上記圧縮機（２５）の運転周波数＞外気温度に応じて予め定められた着霜が起こる可能性を判別するための運転周波数の設定値Ａ、
（ii）上記外気温度センサ（３７）で検出された外気温度＜着霜が起こる可能性を判別するための予め定められた外気温度の設定値Ｂ、
（iii）上記空気熱交温度センサ（４８）で検出された空気熱交換器（３４）の温度＜着霜が起こる可能性を判別するための予め定められた空気熱交換器（３４）の設定温度Ｃ、かつ、
（iv）上記膨脹機構（２７）の開度が所定開度以下で、上記水ポンプ（１３）への指令回転速度が所定速度以下である状態の運転時間＞予め定められた設定時間Ｄ
の全ての条件（i）〜（iv）が成立したときに、デフロスト運転へ突入すると判定することを特徴とするヒートポンプ式給湯機。
【請求項２】
請求項１に記載のヒートポンプ式給湯機において、
上記デフロスト突入判定手段（１１２）は、さらに、
（v）１回の沸き上げ運転中のデフロスト突入回数≦予め定められた設定値Ｅ
の条件が成立したときに、デフロスト運転へ突入すると判定することを特徴とするヒートポンプ式給湯機。
【発明の詳細な説明】
【技術分野】
【０００１】
この発明は、ヒートポンプ式給湯機に関する。
【背景技術】
【０００２】
従来、ヒートポンプ式給湯機としては、特開２００３−２２２３９２号公報（特許文献１）に記載のものがある。このヒートポンプ式給湯機は、冷媒回路と給湯回路とを有し、上記冷媒回路は、圧縮機、水熱交換器、電動膨脹弁および空気熱交換器を順次接続すると共に、デフロスト弁が設けられたデフロスト回路を有し、一方、上記給湯回路は、貯湯タンク、水ポンプ、上記水熱交換器および開閉弁を接続している。
【０００３】
そして、上記従来のヒートポンプ式給湯機は、デフロスト制御手段によって、空気熱交センサで検出した空気熱交換器の温度が、外気温度センサで検出した外気の温度よりも、所定値よりも低いときに、空気熱交換器が着霜していると判断して、デフロスト弁を開放して、デフロスト運転（除霜運転）をするようにしている。
【０００４】
また、上記従来のヒートポンプ式給湯機は、デフロスト制御手段によって、冷媒回路による給湯水に対する沸き上げ能力が低下する方向に遷移しているときに、空気熱交換器が着霜しているとして、デフロスト弁を開放して、デフロスト運転をするようにしている。
【先行技術文献】
【特許文献】
【０００５】
【特許文献１】特開２００３−２２２３９２号公報
【発明の概要】
【発明が解決しようとする課題】
【０００６】
しかしながら、上記従来のヒートポンプ式給湯機では、吹雪等によって、空気熱交センサと外気温度センサとが氷雪に包まれたり、空気熱交センサと外気温度センサとが氷雪のブリッジで連結された場合、空気熱交センサと外気温度センサとに検出温度に差が生じないため、着霜を検出できなくて、デフロスト運転ができないという問題がある。
【０００７】
また、上記従来のヒートポンプ式給湯機では、冷媒回路による給湯水に対する沸き上げ能力が低下する方向への遷移によって、空気熱交換器の着霜を検出しているため、空気熱交換器の着霜によって、冷媒回路の沸き上げ能力が最初から低くなっていて、沸き上げ能力の低下する方向への遷移がない場合、空気熱交換器の着霜を検出できなくて、デフロスト運転ができないという問題がある。
【０００８】
そこで、この発明の課題は、例えば、氷雪、霜のブリッジによって、空気熱交センサと外気温度センサとの検出温度に差が生じない場合や、冷媒回路の沸き上げ能力が最初から低くて沸き上げ能力の低下する方向への遷移がない場合であっても、確実に、空気熱交換器の着霜を検出できて、デフロスト運転ができるヒートポンプ式給湯機を提供することにある。
【課題を解決するための手段】
【０００９】
上記課題を解決するため、この発明のヒートポンプ式給湯機は、
圧縮機、水熱交換器、膨脹機構および空気熱交換器を順次接続している冷媒回路と、
貯湯タンク、水ポンプおよび上記水熱交換器を接続している給湯回路と、
外気温度センサと、
上記空気熱交換器の温度を検出する空気熱交温度センサと、
上記圧縮機の運転周波数、上記外気温度センサおよび空気熱交温度センサの出力に基づいて、デフロスト運転への突入の可否を判定するデフロスト突入判定手段と
を備え、
上記デフロスト突入判定手段は、
（i）上記圧縮機の運転周波数＞外気温度に応じて予め定められた着霜が起こる可能性を判別するための運転周波数の設定値Ａ、
（ii）上記外気温度センサで検出された外気温度＜着霜が起こる可能性を判別するための予め定められた外気温度の設定値Ｂ、
（iii）上記空気熱交温度センサで検出された空気熱交換器の温度＜着霜が起こる可能性を判別するための予め定められた空気熱交換器の設定温度Ｃ、かつ、
（iv）上記膨脹機構の開度が所定開度以下で、上記水ポンプへの指令回転速度が所定速度以下である状態の運転時間＞予め定められた設定時間Ｄ
の全ての条件（i）〜（iv）が成立したときに、デフロスト運転へ突入すると判定することを特徴としている。
【００１０】
上記構成のヒートポンプ式給湯機によれば、上記デフロスト突入判定手段は、上記条件（i）が成立すると、つまり、圧縮機の運転周波数が、外気温度に応じて予め定められた着霜が起こる可能性を判別するための運転周波数の設定値Ａよりも大きいときは、この設定値Ａを越えた周波数で運転しているから、本来能力が出ているのに、もし、能力がでていないならば、空気熱交換器に、除霜を必要とする着霜が生じている可能性があることになる。そのため、まず、この前提条件としての条件（i）の成立の有無が判別される。
【００１１】
また、上記デフロスト突入判定手段は、上記条件（ii）が成立しないと、デフロスト運転を行う必要がある着霜が生じている可能性がないと判別する。すなわち、上記デフロスト突入判定手段は、上記外気温度センサで検出された外気温度と、予め定められた外気温度の設定値Ｂとを比較して、上記外気温度が着霜が起こる可能性を判別するための予め定められた外気温度の設定値Ｂ以上であると、除霜が必要とされる程の着霜が起こっている可能性がないと判断し、一方、外気温度が着霜が起こる可能性を判別するための予め定められた外気温度の設定値Ｂ未満であると、除霜を必要とする着霜が起こっている可能性があると判別する。
【００１２】
また、上記デフロスト突入判定手段は、上記条件（iii）が成立しないと、デフロスト運転を行う必要がある着霜が生じている可能性がないと判断する。すなわち、上記デフロスト突入判定手段は、上記空気熱交温度センサで検出された空気熱交換器の温度と、除霜を必要とする着霜が起きている可能性を判別するための予め定められた空気熱交換器の設定温度Ｃとを比較して、上記空気熱交換器の温度が、着霜が起こる可能性を判別するための予め定められた空気熱交換器の設定温度Ｃ以上のときは、着霜が起こっていないと判別し、一方、空気熱交換器の温度が着霜が起こる可能性を判別するための予め定められた空気熱交換器の設定値Ｃ未満であると、着霜が起きている可能性があると判別する。
【００１３】
また、上記デフロスト突入判定手段は、上記条件（iv）が成立しないと、デフロスト運転を行う必要がある着霜が起こっている可能性がないと判断する。すなわち、上記デフロスト突入判定手段は、上記膨脹機構の開度が所定開度以下で、上記水ポンプへの指令回転速度が所定速度以下である状態の運転時間が予め定められた設定時間Ｄよりも長く継続していないと、つまり、冷媒回路の加熱能力が低くて沸き上げ能力が低い状態の運転時間が設定時間Ｄよりも長く継続していない場合、デフロスト運転を行う必要がある程の着霜が生じていないと判別する。一方、上記デフロスト突入判定手段は、上記膨脹機構の開度が所定開度以下で、上記水ポンプへの指令回転速度が所定速度以下である状態の運転が予め定められた設定時間Ｄよりも長く継続した場合、つまり、冷媒回路の加熱能力が低くて沸き上げ能力が低い状態の運転時間が、設定時間Ｄよりも長く継続している場合は、デフロスト運転を行う必要がある程の着霜が生じている可能性があると判断する。
【００１４】
【００１５】
このように、上記デフロスト突入判定手段は、上記条件（i）〜（iv）の全てが成立するか否かを、圧縮機の運転周波数、外気温度、空気熱交換器の温度、および、沸き上げ能力が低い状態の運転時間を、夫々、予め定められた設定値Ａ，Ｂ，Ｃ，Ｄと比較して、決定し、従来例のように、外気温度と空気熱交換器との温度差や沸き上げ能力の遷移のみによって、着霜を判断するのではないので、例えば、氷雪、霜のブリッジによって、空気熱交センサと外気温度センサとの検出温度に差が生じない場合や、冷媒回路の沸き上げ能力が最初から低くて沸き上げ能力の低下する方向への遷移がない場合であっても、確実に、空気熱交換器の着霜を検出できて、デフロスト突入の可否を正確に判定できる。
１実施形態では、上記デフロスト突入判定手段は、さらに、
（v）１回の沸き上げ運転中のデフロスト突入回数≦予め定められた設定値Ｅ
の条件が成立したときに、デフロスト運転へ突入すると判定する。
上記実施形態によれば、上記デフロスト突入判定手段は、上記条件（v）が成立しないと、誤検出の虞があるから、デフロスト運転を行う必要がないと判断する。すなわち、上記デフロスト突入判定手段は、１回の沸き上げ運転中のデフロスト突入回数が、予め定められた設定値Ｅよりも多くなると、それよりも後は、誤検出の虞があると判断して、デフロスト運転へ突入する必要性がないと判別する。これにより、より確実に着霜の誤検出を防止できる。
【発明の効果】
【００１６】
この発明によれば、例えば、氷雪、霜のブリッジによって、空気熱交センサと外気温度センサとの検出温度に差が生じない場合や、冷媒回路の沸き上げ能力が最初から低くて沸き上げ能力の低下する方向への遷移がない場合であっても、確実に、空気熱交換器の着霜を検出できて、デフロスト運転の必要性を正確に判定できる。
【図面の簡単な説明】
【００１７】
【図１】この発明のヒートポンプ式給湯機の第１実施形態の回路図である。
【図２】上記第１実施形態の要部のブロック図である。
【図３】上記第１実施形態の要部のフローチャートである。
【図４】この発明のヒートポンプ式給湯機の第２実施形態の回路図である。
【図５】上記第２実施形態の要部のブロック図である。
【発明を実施するための形態】
【００１８】
以下、この発明を図示の実施形態により詳細に説明する。
【００１９】
（第１実施形態）
図１に示すように、この第１実施形態のヒートポンプ式給湯機は、給湯回路１と冷媒回路２とを備える。上記給湯回路１は、貯湯タンク３を備え、この貯湯タンク３に貯湯された温湯が図示しない浴槽等に供給される。貯湯タンク３には、その底壁に給水口５が設けられると共に、その上壁に給湯口６が設けられている。そして、給水口５から貯湯タンク３に水道水が供給され、給湯口６から高温の温湯が出湯される。また、貯湯タンク３には、その底壁に取水口１０が開設されると共に、側壁（周壁）の上部に湯入口１１が開設され、取水口１０と湯入口１１とが循環路１２にて連結されている。そして、この循環路１２に水循環用の水ポンプ１３と、この水ポンプ１３からの水と冷媒回路２の冷媒との間で熱交換する水熱交換路１４とが介設されている。なお、給水口５には給水用流路８が接続されている。
【００２０】
また、上記循環路１２には、バイパス流路１５が設けられている。すなわち、上記バイパス流路１５は、湯入口１１側から分岐して、貯湯タンク３の下部（この場合、底壁）に接続されている。そして、分岐部１６と湯入口１１との間に第１開閉弁１７が介設されると共に、バイパス流路１５の分岐部１６側に第２開閉弁１８が介設されている。なお、この第１、第２開閉弁１７，１８を、図示しないが、三方向切換ができる一つの開閉弁に統合してもよい。
【００２１】
上記第１開閉弁１７を開状態とすると共に、第２開閉弁１８を閉状態として、水ポンプ１３を駆動すれば、取水口１０から循環路１２に流出した温水は、水熱交換路１４を流れ、この水熱交換路１４から湯入口１１を介して貯湯タンク３の上部に流入する。これに対して、第１開閉弁１７を閉状態とすると共に、第２開閉弁１８を開状態として、水ポンプ１３を駆動させれば、取水口１０から循環路１２に流出した温水は、水熱交換路１４を流れ、この水熱交換路１４から分岐部１６を介してバイパス流路１５に入って、このバイパス流路１５から貯湯タンク３の下部に流入する。
【００２２】
また、上記循環路１２は、貯湯タンク３側の配管２１と、水熱交換器２６側の配管２２とを備え、この配管２１、２２が連絡配管２３、２４にて連結されている。なお、この連絡配管２３、２４は室外側に配設されているので、後述するように、外気温度が低い場合にその内部が凍結する虞がある。
【００２３】
上記循環路１２には、取水口１０から流出して水熱交換路１４に入る温水（低温水）の温度（入水温度）を検出する入水サーミスタ３５と、水熱交換路１４にて加熱された温水の温度（出湯温度）を検出する出湯サーミスタ３６とが設けられている。
【００２４】
一方、上記冷媒回路２は、圧縮機２５と、上記水熱交換路１４と、減圧機構の一例としての電動膨張弁２７と、空気熱交換器２８と、アキュムレータ２６とを、管路２９，３０，３１，３２によって、順に接続している。
【００２５】
上記空気熱交換器２８には、この空気熱交換器２８の能力を調整するファン３４が付設されている。また、上記空気熱交換器２８には、空気熱交換器２８の温度を検出する空気熱交換温度センサ４８を設けている。また、上記空気熱交換器２８には、固定具によって外気温度センサ３７を取り付けて、外気温度センサ３７と空気熱交換器２８との間には距離を空けている。
【００２６】
また、上記圧縮機２５と水熱交換器１４との間の管路２９と、電動膨張弁２７と空気熱交換器２８との間の管路３１を、デフロスト弁３９を有するデフロスト回路３８で接続して、圧縮機２５からのホットガスを、デフロスト弁３９を介して、蒸発器として機能する空気熱交換器２８に直接供給することができるようにしている。これによって、空気熱交換器２８の霜を除去するデフロスト運転ができるようになっている。そのため、この冷媒回路２は、通常の湯の沸き上げ運転と、デフロスト運転とを行うことができる。
【００２７】
一方、上記給湯回路１および冷媒回路２を制御するための制御装置１００は、例えば、マイクロコンピュータから構成されており、デフロスト運転を制御するデフロスト制御手段１１０を有し、このデフロスト制御手段１１０は、メモリ１１１と、デフロスト突入の可否を判定するデフロスト突入判定手段１１２とを有する。
【００２８】
なお、上記制御装置１００は、通常の給湯能力、湯の温度の制御を行うが、それらは、本発明の要旨とは関係が少ないので、その説明は、省略する。
【００２９】
上記デフロスト突入判定手段１１２は、図２に示すように、圧縮機２５の運転周波数、外気温度センサ３７からの外気温度を表す信号、空気熱交温度センサ４８からの空気熱交換器２８の温度を表す信号、電動膨脹弁２７の開度を表す信号、水ポンプ１３への指令回転速度およびメモリ１１１に記憶されている設定値Ａ，Ｂ，Ｃ，Ｄ，Ｅ（図３参照）に基づいて、図３に示すようなデフロスト突入の可否の判定を行う。
【００３０】
上記構成のヒートポンプ式給湯機のデフロスト突入の可否の判定動作について、図３を参照しながら、説明する。
【００３１】
図３のデフロスト運転をするか否かのための判断ステップＳ１〜Ｓ５は、１回の沸き上げ運転中に、所定時間毎に行われる。
【００３２】
まず、ステップＳ１で、上記デフロスト突入判定手段１１２は、圧縮機２５の運転周波数と、外気温度センサ３７で検出された外気温度に応じてメモリ１１１から読み出した運転周波数の設定値Ａとを比較して、圧縮機２５の運転周波数＞運転周波数の設定値Ａのときは、ステップＳ２に進み、そうでないときは、このステップＳ１の判断を繰り返す。
【００３３】
上記運転周波数の設定値Ａは、外気温度に応じて予め定められたもので、着霜が起こる可能性を判別するための運転周波数の下側の閾値であって、メモリ１１１に外気温度に対応付けて予め記憶されている。圧縮機２５の運転周波数が、外気温度に応じて予め定められた着霜が起こる可能性を判別するための運転周波数の設定値Ａよりも大きいときは、本来能力が出ている状態であるから、この状態で能力がでていないと、空気熱交換器２８が着霜している可能性ある。したがって、以降の判断の前提として、このステップＳ１の判断がなされる。
【００３４】
上記設定値Ａは、ヒートポンプ式給湯機の能力、容量の異なる機種によって異なるが、例えば、８８Ｈｚである。
【００３５】
次に、ステップＳ２で、上記デフロスト突入判定手段１１２は、外気温度センサ３７で検出された外気温度と、除霜を必要とする着霜の存在の可能性の有無を判別するための予め定められた外気温度の設定値Ｂとを比較して、上記外気温度が着霜が起こる可能性を判別するための予め定められた設定値Ｂ以上であると、除霜が必要とされる程の着霜が生じている可能性がないと判別して、ステップＳ１に戻る。一方、外気温度が着霜が起こる可能性がある予め定められた設定値Ｂ未満であると、着霜が生じている可能性があると判別して、ステップＳ３に進む。上記設定値Ｂは、メモリ１１１に予め記憶されていて、例えば、２℃である。
【００３６】
次に、ステップＳ３で、上記デフロスト突入判定手段１１２は、空気熱交温度センサ４８で検出された空気熱交換器２８の温度と、除霜を必要とする着霜が生じている可能性を判別するための予め定められた空気熱交換器２８の設定温度Ｃとを比較して、上記空気熱交換器２８の温度が、着霜が起こる可能性を判別するための予め定められた空気熱交換器２８の設定温度Ｃ以上のときは、着霜が起こっている可能性がないと判別して、ステップＳ１に戻り、一方、空気熱交換器２８の温度が着霜が起こる可能性を判別するための予め定められた空気熱交換器２８の設定値Ｃ未満であると、着霜が起きている可能性があると判別して、ステップＳ４に進む。上記設定値Ｃは、メモリ１１１に予め記憶されていて、例えば、−２０℃である。
【００３７】
次に、ステップＳ４では、上記デフロスト突入判定手段１１２は、電動膨脹弁２７の開度が所定開度の一例としての最小値ＭＩＮで、水ポンプ１３への指令回転速度が所定速度の一例としての最小値ＭＩＮである状態の運転時間が予め定められた設定時間Ｄよりも長く継続していないと、つまり、冷媒回路２の加熱能力が低くて沸き上げ能力が低い状態の運転時間が設定時間Ｄよりも長く継続していない場合、デフロスト運転を行う必要がある程の着霜が生じている可能性がないと判別して、ステップＳ１に戻る。一方、上記デフロスト突入判定手段１１２は、電動膨脹弁２７の開度が最小値ＭＩＮで、水ポンプ１３への指令回転速度が最小値ＭＩＮである状態の運転が予め定められた設定時間Ｄよりも長く継続した場合、つまり、冷媒回路２の加熱能力が低くて沸き上げ能力が低い状態の運転時間が、設定時間Ｄよりも長く継続している場合は、デフロスト運転を行う必要がある程の着霜が生じている可能性があると判別して、ステップＳ５に進む。上記設定値Ｄは、メモリ１１１に予め記憶されていて、例えば、１０分である。
【００３８】
ここで、電動膨脹弁２７の所定開度の一例を最小値ＭＩＮとし、水ポンプ１３の所定速度の一例を最小値ＭＩＮとして、これらが最小値ＭＩＮであるときに、所定開度以下および所定速度以下である条件を満足するとしている。尤も、所定開度および所定速度として、最小値ＭＩＮよりも大きい値、好ましくは、最小値ＭＩＮに近い適宜な値を設定しても、同様な作用、効果を奏することは勿論である。
【００３９】
次に、ステップＳ５で、上記デフロスト突入判定手段１１２は、１回の沸き上げ運転中に既にデフロストに突入した回数（デフロスト突入回数）をカウントして、メモリ１１１に記憶しており、この記憶しているデフロスト突入回数と、予め定められた設定値Ｅとを比較する。そして、デフロスト突入回数≦設定値Ｅが成立した場合、例えば、設定値Ｅ＝１の場合、今まで１回以下のデフロスト突入回数の場合、デフロスト突入回数≦設定値Ｅを満足するから、ステップＳ６に進んで、デフロストに突入し、デフロスト突入回数を１だけインクリメントして、メモリに記憶する。すなわち、設定値Ｅ＝１の場合、デフロストは、２回まで突入可能である。そして、設定値Ｅ＝１の場合、デフロスト突入回数が既に２回であると、それ以後は、デフロスト突入回数≦設定値Ｅを満足しないから、デフロスト運転をしないで、ステップＳ１に戻るのである。このように、このカウントして記憶されているデフロスト突入回数と、予め定められた設定値Ｅとを比較して、デフロスト突入回数≦設定値Ｅが成立しない場合、誤検出あるいはデフロスト過剰の虞があると判断して、ステップＳ１に戻って、デフロスト運転を行わない。一方、デフロスト突入回数≦設定値Ｅが成立した場合、誤検出の可能性がないとして、ステップＳ６に進んで、デフロスト運転を行う。上記設定値Ｅは、メモリ１１１に予め記憶されていて、例えば、Ｅ＝１の場合、２回までデフロストの突入を許容し、Ｅ＝２の場合、３回までデフロストの突入を許容することになる。
【００４０】
このように、上記デフロスト突入判定手段１１２は、ステップＳ１〜Ｓ５の全てが成立するか否かを、圧縮機２５の運転周波数、外気温度、空気熱交換器２８の温度、沸き上げ能力が低い状態の運転時間、および、１回の沸き上げ運転中のデフロスト突入回数を、夫々、予め定められた設定値Ａ，Ｂ，Ｃ，Ｄ，Ｅと比較して、決定し、従来例のように、外気温度と空気熱交換器との温度差や沸き上げ能力の遷移のみによって、着霜を判断するのではないので、例えば、氷雪、霜のブリッジによって、空気熱交センサと外気温度センサとの検出温度に差が生じない場合や、冷媒回路の沸き上げ能力が最初から低くて沸き上げ能力の低下する方向への遷移がない場合であっても、確実に、空気熱交換器の着霜を検出できて、デフロスト運転の必要性の判断を正しくできる。
【００４１】
次に、ステップＳ６では、デフロスト制御手段１１０は、圧縮機２５を駆動し、デフロスト弁３９を開放し、ファン３４をオフにし、電動膨脹弁２７を閉鎖または小開度にして、圧縮機２５からのホットガスを、デフロスト弁３９を介して空気熱交換器２８に供給して、デフロスト運転を行う。このとき、基本的には、水ポンプ１３を停止し、第１開閉弁１７を閉鎖し、第２開閉弁１８を開放する。
【００４２】
なお、デフロスト運転自体は、本件発明の主題（デフロスト運転の要否）ではなく、特許文献１に記載されているので、詳しい説明は省略する。
【００４３】
上記第１実施形態では、ステップＳ１〜Ｓ５の判断を昇順に順次行っているが、ステップＳ１〜Ｓ５の判断は、どのような順序で行ってもよい。
【００４４】
上記第１実施形態では、デフロスト弁３９を開放して、順サイクルのデフロスト運転をするようにしているが、例えば、４路切換弁をデフロスト弁として設けて、逆サイクルのデフロスト運転をすることも可能である。
【００４５】
（第２実施形態）
図４は、第２実施形態のヒートポンプ式給湯機の回路図である。この第２実施形態のヒートポンプ式給湯機は、図１に示す第１実施形態のヒートポンプ式給湯機とは、デフロスト弁３９とデフロスト回路３８が除去されている点と、制御装置２００およびデフロスト制御手段２１０の構成とが異なる。
【００４６】
また、図５に示す第２実施形態のブロック図は、図２に示す第１実施形態のブロック図とは、デフロスト弁を除去し、図２のデフロスト制御手段１１０とは異なるデフロスト制御手段２１０を備える点が異なる。
【００４７】
したがって、図４，５の第２実施形態において、図１，２の第１実施形態の構成要素と同一構成要素については、図１，２の構成要素と同一参照番号を付して、その説明を省略する。
【００４８】
この第２実施形態のデフロスト突入判定手段１１２も、第１実施形態と全く同様に、図３のステップＳ１〜Ｓ５の判別を行う。したがって、この第２実施形態でも、第１実施形態と同様に、例えば、氷雪、霜のブリッジによって、空気熱交センサ４８と外気温度センサ３７との検出温度に差が生じない場合や、冷媒回路の沸き上げ能力が最初から低くて沸き上げ能力の低下する方向への遷移がない場合であっても、確実に、空気熱交換器２８の着霜を検出できて、デフロスト運転の必要性の判断を正しくできる。
【００４９】
図４，５において、上記デフロスト突入判定手段１１２がデフロスト運転に突入すると判定すると、制御装置２００のデフロスト制御手段２１０は、水ポンプ１３の運転を停止して、水熱交換器１４で熱が奪われないようにし、電動膨脹弁２７を全開にして、空気熱交換器２８に極力高い温度の冷媒を流して、デフロスト運転を行う。
【符号の説明】
【００５０】
１  給湯回路
２  冷媒回路
３  貯湯タンク
１３  水ポンプ
１４  水熱交換器
１６，１７  開閉弁
２５  圧縮機
２７  電動膨脹弁
２８  空気熱交換器
３７  外気温度センサ
４８  空気熱交温度センサ
１００，２００  制御装置
１１０，２１０  デフロスト制御手段
１１１  メモリ
１１２  デフロスト突入判定手段
【図１】
0005590087.tif 000002
【図２】
0005590087.tif 000003
【図３】
0005590087.tif 000004
【図４】
0005590087.tif 000005
【図５】
0005590087.tif 000006